【手続補正書】
【提出日】平成27年6月17日(2015.6.17)
【手続補正１】
【補正対象書類名】特許請求の範囲
【補正対象項目名】全文
【補正方法】変更
【補正の内容】
【特許請求の範囲】
【請求項１】
光源の光を読み取りの対象物に導光する棒状の導光体を有し前記対象物を照明する照明手段と、
前記導光体に並設され、複数のレンズ面が前記導光体の長手方向と同方向に配列された入射面が設けられたレンズアレイを有し前記入射面に入射した前記対象物からの反射光を集光してセンサー上に正立等倍像を形成する結像光学素子と、
を備え、
前記導光体は、
透明部材により形成され、
当該導光体内に入射された前記光源の光を反射する反射構造が形成された反射面と、
前記反射面により反射された光を前記対象物に向けて出射する出射面と、を有し、
前記反射面および前記出射面は、それぞれ当該導光体の外周面に前記長手方向に沿って形成されて前記透明部材を介して対向配置され、
前記長手方向に直交する断面における前記出射面の幅は、前記反射面よりも狭く形成され、
前記結像光学素子は、前記導光体に対向する部分が前記レンズ面の配列方向に沿って面取りされた面取り部位を有し、
前記導光体は、前記結像光学素子に対向する部分が前記出射面に沿って前記長手方向に面取りされた面取り部位を有し、
前記導光体の前記出射面と前記結像光学素子の前記入射面とが近接配置されている、
ことを特徴とする画像読取装置。
【請求項２】
前記導光体の前記長手方向に直交する断面形状が前記反射面側から前記出射面側に向けて先細りする形状である請求項１に記載の画像読取装置。
【請求項３】
前記結像光学素子は、前記結像光学素子の光軸を間に挟んで、前記導光体に対向する部分および前記導光体に対向しない部分が前記レンズ面の配列方向に沿って面取りされた面取り部位を有している請求項１または請求項２に記載の画像読取装置。
【請求項４】
前記結像光学素子は、前記レンズアレイを収納するケース体をさらに有し、前記ケース体は、前記結像光学素子の前記面取り部位を有している請求項１ないし３のいずれかに記載の画像読取装置。
【請求項５】
前記照明手段は、前記導光体の前記出射面を除く外周面を被覆する遮光フィルムをさらに有し、前記遮光フィルムの前記透明部材に接する面に光を散乱させる散乱面が形成されている請求項１ないし４のいずれかに記載の画像読取装置。
【請求項６】
前記結像光学素子の前記導光体に対向する前記面取り部位と、前記導光体の前記結像光学素子に対向する前記面取り部位と、は当接するように設けられている請求項１ないし５のいずれかに記載の画像読取装置。
【手続補正２】
【補正対象書類名】明細書
【補正対象項目名】０００６
【補正方法】変更
【補正の内容】
【０００６】
この発明にかかる画像読取装置は、上記目的を達成するために、光源の光を読み取りの対象物に導光する棒状の導光体を有し前記対象物を照明する照明手段と、前記導光体に並設され、複数のレンズ面が前記導光体の長手方向と同方向に配列された入射面が設けられたレンズアレイを有し前記入射面に入射した前記対象物からの反射光を集光してセンサー上に正立等倍像を形成する結像光学素子と、を備え、前記導光体は、透明部材により形成され、当該導光体内に入射された前記光源の光を反射する反射構造が形成された反射面と、前記反射面により反射された光を前記対象物に向けて出射する出射面と、を有し、前記反射面および前記出射面は、それぞれ当該導光体の外周面に前記長手方向に沿って形成されて前記透明部材を介して対向配置され、前記長手方向に直交する断面における前記出射面の幅は、前記反射面よりも狭く形成され、前記結像光学素子は、前記導光体に対向する部分が前記レンズ面の配列方向に沿って面取りされた面取り部位を有し、前記導光体は、前記結像光学素子に対向する部分が前記出射面に沿って前記長手方向に面取りされた面取り部位を有し、前記導光体の前記出射面と前記結像光学素子の前記入射面とが近接配置されていることを特徴としている。
【手続補正３】
【補正対象書類名】明細書
【補正対象項目名】０００７
【補正方法】変更
【補正の内容】
【０００７】
このように構成された発明では、光源の光を読み取りの対象物に導光する棒状の導光体は、透明部材により形成され、当該導光体内に入射された光源の光を反射する反射構造が形成された反射面と、反射面により反射された光を対象物に向けて出射する出射面とを有しており、反射面および出射面は、それぞれ当該導光体の外周面に長手方向に沿って形成されて透明部材を介して対向配置されている。そして、導光体の長手方向に直交する断面における出射面の幅が反射面よりも狭く形成されているので、導光体の端面から入射されて反射面においてその長手方向全体に渡って散乱した光源の光が、透明部材の内部において導光体の外周面により全反射されて出射面に向かって集光され、該出射面から読み取りの対象物に向けて帯状に出射される。したがって、導光体の内部において出射面に向かって集光された状態の光が該出射面から読み取りの対象物に向かって帯状に出射されるので、読み取りの対象物と結像光学素子が備えるレンズアレイの光軸とが交わる部分を照明手段により帯状に効率よく照明することが可能な新規な構成の照明手段を備える画像読取装置を提供することができる。
加えて、前記結像光学素子は、前記導光体に対向する部分が前記レンズ面の配列方向に沿って面取りされた面取り部位を有し、前記導光体は、前記結像光学素子に対向する部分が前記出射面に沿って前記長手方向に面取りされた面取り部位を有し、前記導光体の前記出射面と前記結像光学素子の前記入射面とが近接配置されている。
このように構成すると、結像光学素子は、導光体に対向する部分がレンズ面の配列方向に沿って面取りされた面取り部位を有する。そして、導光体は、結像光学素子に対向する部分が出射面に沿って長手方向に面取りされた面取り部位を有する。このため、長手方向に直交する断面における出射面の中心と、各レンズ面の配列方向に直交する断面におけるレンズアレイの光軸とをより近接配置して、該光軸上の入射面により近い位置を照明手段により帯状に照明することができる。また、導光体の出射面と結像光学素子の入射面とが近接配置されることによって画像読取装置の小型化を図ることができる。
【手続補正４】
【補正対象書類名】明細書
【補正対象項目名】００１０
【補正方法】変更
【補正の内容】
【００１０】
そして、前記結像光学素子は、前記結像光学素子の光軸を間に挟んで、前記導光体に対向する部分および前記導光体に対向しない部分が前記レンズ面の配列方向に沿って面取りされた面取り部位を有しているとよい。
【手続補正５】
【補正対象書類名】明細書
【補正対象項目名】００１１
【補正方法】変更
【補正の内容】
【００１１】
このように構成すると、結像光学素子は、結像光学素子の光軸を間に挟んで、導光体に対向する部分および導光体に対向しない部分がレンズ面の配列方向に沿って面取りされた面取り部位を有する。
【手続補正６】
【補正対象書類名】明細書
【補正対象項目名】００１２
【補正方法】変更
【補正の内容】
【００１２】
さらに、前記結像光学素子は、前記レンズアレイを収納するケース体をさらに有し、前記ケース体は、前記結像光学素子の前記面取り部位を有しているとよい。
【手続補正７】
【補正対象書類名】明細書
【補正対象項目名】００１３
【補正方法】変更
【補正の内容】
【００１３】
このように構成すれば、レンズアレイを収納するケース体が、面取り部位を有しているので、導光体の長手方向に直交する断面における出射面の中心と、各レンズ面の配列方向に直交する断面におけるレンズアレイの光軸とをさらに近接配置することができる。
【手続補正８】
【補正対象書類名】明細書
【補正対象項目名】００１５
【補正方法】変更
【補正の内容】
【００１５】
このように構成すれば、導光体を形成する透明部材内において反射面により反射された光を、遮光フィルムの散乱面によってより効率よく全反射させることによってさらに効率よく出射面に向かって集光することができる。また、遮光フィルムにより、導光体に入射された光源の光が導光体の外周面から外部に漏れるのを防止することができる。
また、前記結像光学素子の前記導光体に対向する前記面取り部位と、前記導光体の前記結像光学素子に対向する前記面取り部位と、は当接するように設けられているとよい。